(57)【要約】【課題】延長部が簡便且つ迅速に固定できる棚用支柱を提供し、もって、組立・解体施工性の向上を図る。【解決手段】棚板支持具２１の係止爪２３を受け入れ、係止爪２３を下方へ落とし込んで係止する複数の係止孔６３が上下方向に形成された棚用支柱１１であって、筒状の本体部３５と、本体部３５に摺動自在に嵌入する延長部５１と、延長部５１の下降を規制するロック手段８７と、を具備し、本体部３５及び延長部５１の各正面３７，５３には係止孔６３（４１，５５）が等ピッチＰで形成され、延長部５１の側面５７には係止孔５５と等ピッチＰの透孔５９が形成され、ロック手段８７が、本体部３５の側面３９に固定されるブラケット８９と、ブラケット８９に固定される横軸９１と、横軸９１に基端を回動自在に支持し先端９３を延長部５１の透孔５９に進入させて延長部５１の下降を規制するロック爪９５と、からなることを特徴とする。【選択図】  図１
2014061240.tif 000002
【特許請求の範囲】
【請求項１】
棚板支持具の係止爪を受け入れて、該係止爪を下方へ落とし込んで係止する複数の係止孔が上下方向に形成された棚用支柱であって、
筒状の本体部と、該本体部に摺動自在に嵌入する延長部と、該延長部の下降を規制するロック手段と、を具備し、
前記本体部及び前記延長部の各正面には前記係止孔が等ピッチで形成され、
前記延長部の側面には前記係止孔と等ピッチの透孔が形成され、
前記ロック手段が、前記本体部の側面に固定されるブラケットと、該ブラケットに固定される横軸と、該横軸に基端を回動自在に支持し先端を前記延長部の透孔に進入させて前記延長部の下降を規制するロック爪と、
からなることを特徴とする棚用支柱。
【請求項２】
前記延長部の透孔は、左右で対となる該延長部の互いに対向する内側面に形成され、
前記ロック手段の固設位置が、左右で対となる前記本体部の互いに対向する内側面とされることを特徴とする請求項１記載の棚用支柱。
【請求項３】
請求項１又は２記載の棚用支柱であって、
前記ロック爪が、前記本体部の係止孔と前記延長部の係止孔を等ピッチで配置する位置に、前記延長部を前記本体部に対し下降規制することを特徴とする棚用支柱。
【請求項４】
請求項１又は２又は３記載の棚用支柱であって、
前記延長部の係止孔が前記本体部の係止孔より少なくとも前記落とし込み量分下方向に長いことを特徴とする棚用支柱。
【請求項５】
請求項１，２，３，４のいずれか１つに記載の棚用支柱であって、
前記ロック手段が、前記本体部の上端に配設されたことを特徴とする棚用支柱。
【請求項６】
請求項１，２，３，４，５のいずれか１つに記載の棚用支柱であって、
前記ロック爪を前記延長部の透孔に進入させる方向に付勢する付勢手段が、該ロック爪と前記ブラケットに亘って設けられたことを特徴とする棚用支柱。
【発明の詳細な説明】
【技術分野】
【０００１】
本発明は、棚板支持具の係止爪を受け入れる複数の係止孔が上下方向に等ピッチで形成されるとともに、伸縮構造を備える棚用支柱の構造に関する。
【背景技術】
【０００２】
複数枚の棚板が多段状に取り付けられ、陳列商品の高さに合わせて各棚板が上下方向に付け替え自在となる商品陳列棚が知られているが、例えば、下記特許文献１，２などの商品陳列棚は、背面板の左右に一対の棚用支柱が起立して設けられ、その表面に、棚板を支持するための棚板支持具を係止する複数の係止孔を上下方向に設けた構造とされる。このような商品陳列棚は、背面板，棚板，棚板支持具，ベース部材などの各構成部材が、同種部材ごとに個別梱包され、現場にてそれぞれを組み合わせる現場組立式の形態を採るのが一般的である。このため、運搬性を考慮して部材は分解可能な構造にて製作される。そして、これら部材中で最も長尺となる棚用支柱は、通常、複数に分割され、異なる長さで構成し、これらを適宜組み合わせて接続して所望の高さを得る構造となっている。
【０００３】
この棚用支柱の接続部分は、例えば上段側の棚用支柱の下端から細径の連結杆を突出形成し、この連結杆を下段の棚用支柱の上部開口に嵌入することで行われていた。ところが、この棚用支柱では、連結杆を突出させるため、上段棚用支柱の最下部係止孔が、内部に固定する連結杆によって塞がれ、使用不能となった。また、下段棚用支柱の上部係止孔も、上方から嵌入する連結杆によって塞がれ、使用不能となった。このように、各接続部を挟み隣接する上下２つの係止孔が使用不能となり、棚調整機能の自由度、すなわち棚板の取り付け位置に制約が生じた。一方、連結杆の突出長さを、係止孔に干渉しない短尺で形成すれば、接続強度の確保が困難となった。
【０００４】
このような不具合を解消するために、連結杆を設けずに、支柱本体部に支柱延長部を挿入し、支柱本体部の上端から支柱延長部を伸縮自在に設けた伸縮式の棚用支柱とした構造が案出された（下記特許文献３）。この伸縮式の棚用支柱は、支柱本体部から延長部を引き出すだけで所望の長さに設定でき、ビスなどを用いることで所望の高さの棚用支柱を得られ、作業性が向上した。
【先行技術文献】
【特許文献】
【０００５】
【特許文献１】特開平７−２４６１３９号公報
【特許文献２】特開２００２−１５３３６０号公報
【特許文献３】特開２０１０−１７２３８号公報
【発明の概要】
【発明が解決しようとする課題】
【０００６】
しかしながら、引き出した延長部は支柱本体部と固定状態としなければならず、その固定箇所に制約の生じる問題があった。すなわち、需要の比較的多い壁面式の商品陳列棚では、背面を建物壁面に当て、複数台が並設されるため、背面で工具を必要とした固定を行えば、工具が挿入できず、施工性が低下した。一方、支柱正面で固定を行えば、使用不能となる係止孔を増やすことになった。特に、店舗改装時の解体、再組み立てに際しては、短時間での迅速な作業が要求されるので、商品陳列棚個々が施工性の良いものであることが必須となった。以上の事情から、工具を使用せずに簡便且つ迅速に延長部が固定できる伸縮構造による棚用支柱の開発要請があった。
【０００７】
本発明は上記状況に鑑みてなされたもので、延長部が簡便且つ迅速に固定できる棚用支柱を提供し、もって、組立・解体施工性の向上を図ることを目的とする。
【課題を解決するための手段】
【０００８】
次に、上記の課題を解決するための手段を、実施の形態に対応する図面を参照して説明する。
本発明の請求項１記載の棚用支柱は、棚板支持具２１の係止爪２３を受け入れて、該係止爪２３を下方へ落とし込んで係止する複数の係止孔６３が上下方向に形成された棚用支柱１１であって、
筒状の本体部３５と、該本体部３５に摺動自在に嵌入する延長部５１と、該延長部５１の下降を規制するロック手段８７と、を具備し、
前記本体部３５及び前記延長部５１の各正面３７，５３には前記係止孔６３（４１，５５）が等ピッチＰで形成され、
前記延長部５１の側面５７には前記係止孔６３と等ピッチＰの透孔５９が形成され、
前記ロック手段８７が、前記本体部３５の側面３９に固定されるブラケット８９と、該ブラケット８９に固定される横軸９１と、該横軸９１に基端を回動自在に支持し先端９３を前記延長部５１の透孔５９に進入させて前記延長部５１の下降を規制するロック爪９５と、
からなることを特徴とする。
【０００９】
この棚用支柱１１では、延長部５１が引き出されると、ロック爪９５が透孔５９に順次進入し、延長部５１の引き出し操作を辞め、延長部５１より手が放されると延長部５１が下降しようとするが、透孔５９に進入したロック爪９５によって下降が阻止される。
【００１０】
請求項２記載の棚用支柱は、請求項１記載の棚用支柱において、
前記延長部５１の透孔５９は、左右で対となる該延長部５１の互いに対向する内側面５７に形成され、
前記ロック手段８７の固設位置が、左右で対となる前記本体部３５の互いに対向する内側面３９とされることを特徴とする。
【００１１】
この棚用支柱１１では、延長部５１の下降を阻止するロック手段８７が、左右の延長部５１及び本体部３５の内側面３９，５７にて配置され、商品陳列棚１００として用いられる場合に、棚同士を側方に並列配置してもロック手段８７が突出することなく互いに邪魔にならない。
【００１２】
請求項３記載の棚用支柱は、請求項１又は２記載の棚用支柱であって、
前記ロック爪９５が、前記本体部３５の係止孔４１と前記延長部５１の係止孔５５を等ピッチＰで配置する位置に、前記延長部５１を前記本体部３５に対し下降規制することを特徴とする。
【００１３】
この棚用支柱１１では、ロック爪９５が任意の透孔５９に進入しても、本体部３５と延長部５１の係止孔４１，５５が常に等ピッチＰで接続される。
【００１４】
請求項４記載の棚用支柱は、請求項１又は２又は３記載の棚用支柱であって、
前記延長部５１の係止孔５５が前記本体部３５の係止孔４１より少なくとも前記落とし込み量Ｋ分下方向に長いことを特徴とする。
【００１５】
この棚用支柱１１では、延長部５１を伸長させた本体部３５上端４５における最上位置の係止孔４１において、本体部３５の係止孔４１と延長部５１の係止孔５５が上端を一致させると、延長部５１の係止孔５５は、下端が、本体部３５の係止孔４１の下端よりも落とし込み量Ｋ分下方に配置される。つまり、本体部３５の係止孔４１に挿入された係止爪２３の干渉回避代（逃げ代）が形成される。これにより、棚板支持具２１を挿入して落とし込むことが可能となる。
【００１６】
請求項５記載の棚用支柱は、請求項１，２，３，４のいずれか１つに記載の棚用支柱であって、
前記ロック手段８７が、前記本体部３５の上端４５に配設されたことを特徴とする。
【００１７】
この棚用支柱１１では、ロック手段８７が本体部３５の上下方向中途部分に設けられる場合に比べ、延長部５１の引き出し可能長が長くなる。
【００１８】
請求項６記載の棚用支柱は、請求項１，２，３，４，５のいずれか１つに記載の棚用支柱であって、
前記ロック爪９５を前記延長部５１の透孔５９に進入させる方向に付勢する付勢手段が、該ロック爪９５と前記ブラケット８９に亘って設けられたことを特徴とする。
【００１９】
この棚用支柱１１では、自重に加え、付勢手段により強制的にロック爪９５が透孔５９へ進入・衝接される。また、進入時、衝接によるクリック音が生じる。
【発明の効果】
【００２０】
本発明に係る請求項１記載の棚用支柱によれば、延長部の背面に係止孔と等ピッチとなる透孔を設け、ロック手段を、本体部背面に固定されるブラケットと、ブラケットに固定される横軸と、横軸に支持され先端を延長部の透孔に進入させて延長部の下降を規制するロック爪とで構成したので、延長部を引き出せば、透孔に順次ロック爪が進入し、手を離せば、自重等により下降しようとする延長部が、透孔に進入したロック爪によって下降阻止される。この結果、延長部が簡便且つ迅速に任意な引き出し長さで固定でき、組立・解体の施工性を向上させることができる。また、ロック手段の配設位置が本体部の側面とされ、延長部の側面の透孔に進入する構成としたことで、この棚用支柱を用いた商品陳列棚とした場合に、ロック手段が棚としての背面よりも突出せず、商品陳列棚を建物壁面に沿わせ隙間なく当てて配置させることが可能となる。
【００２１】
請求項２の棚用支柱によれば、ロック手段の配置位置が、左右の本体部の対向内側面とされることから、この棚用支柱を用いた商品陳列棚では、建物壁面に棚背面を沿わせて配置可能とされるとともに、側方に陳列棚同士を隙間無く並設可能となる。また、ロック爪を棚の正面から操作可能であり、本体部に対する延長部の引き出し長さを変更する場合などに、直ちに操作が可能となり、棚板の高さ調整などを迅速に行なうことができる。
【００２２】
請求項３記載の棚用支柱によれば、ロック爪が任意の透孔に進入しても、本体部と延長部の係止孔を常に等ピッチで連続させることができる。
【００２３】
請求項４記載の棚用支柱によれば、延長部の係止孔が、本体部の係止孔より少なくとも落とし込み量分下方向に長いので、延長部を伸長させた本体部上端における最上位置の係止孔にも棚板支持具を挿入して落とし込むことができ、伸縮構造の支柱において使用不能な係止孔を減らし、棚調整機能の自由度を向上させることができる。
【００２４】
請求項５記載の棚用支柱によれば、ロック手段を、本体部の上端に配設したので、ロック手段が本体部の上下方向中途部分に設けられる場合に比べ、延長部の引き出し可能な長さを長くできる。つまり、延長部を最大限の引き出し状態でロックできる。
【００２５】
請求項６記載の棚用支柱によれば、ロック爪を透孔進入方向に付勢する付勢手段を、ロック爪とブラケットに亘って設けたので、自重に加え、付勢手段により強制的にロック爪を透孔へ進入・衝接させることができ、ロック爪の進入不良、すなわち、ロック不良をなくし、迅速且つ信頼性の高いロック動作が可能となる。また、進入時、クリック音を生じさせ、快適な操作感を得ることができる。
【図面の簡単な説明】
【００２６】
【図１】本発明に係る棚用支柱の用いられた商品陳列棚の斜視図である。
【図２】図１に示した棚用支柱及び棚板支持具の拡大斜視図である。
【図３】棚板支持具及び棚用支柱を分解状態を表した斜視図である。
【図４】棚板支持具の取り付けられた本体部及び延長部の縦断面図である。
【図５】本体部の係止孔を（ａ）、支持筒体の係止孔を（ｂ）、延長部の係止孔を（ｃ）で表した正面図である。
【図６】本体部と延長部及び支持筒体の重なり部における棚板支持具の係止状態を（ａ）、ロック手段の係止状態を（ｂ）に表した縦断面図、及び棚板支持具及びロック手段の各係止状態を（ｃ）に表した平断面図である。
【図７】棚用支柱の背面斜視図である。
【図８】ロック爪の透孔進入直前の本体部と延長部の重なり部を表す縦断面図である。
【発明を実施するための形態】
【００２７】
以下、本発明に係る棚用支柱の好適な実施の形態について図面を参照して詳細に説明する。
図１は本発明に係る棚用支柱の用いられた商品陳列棚の斜視図である。
本実施の形態による棚用支柱１１は、例えば商品陳列棚１００に好適に用いることができる。商品陳列棚１００は、床面に載置されるベース部１３と、ベース部１３に立設される左右一対の棚用支柱１１と、これら支柱間に配設される背面板１５と、両支柱の上端に架設される上枠１７とを具備するとともに、一対の棚用支柱１１に棚板１９が複数段取り付けられる構造となっている。棚板１９は、左右の棚用支柱１１の各正面（３７，５３）に取り付けられる棚板支持具２１に載置される。
【００２８】
図２は図１に示した棚用支柱及び棚板支持具の拡大斜視図、図３は棚板支持具及び棚用支柱を分解状態を表した斜視図である。
本実施形態の左右一対の棚用支柱１１は、筒状の本体部３５と、この本体部３５に摺動自在に嵌入する延長部５１と固定手段８５とで構成されるとともに、支持筒体６５を具備する。本体部３５と延長部５１の長手方向に直交する方向の断面形状は、相似する矩形状に形成されている。係止孔６３は、本体部３５と延長部５１の正面３７，５３に形成され、棚板１９を取り付けるための棚板支持具２１の係止爪２３が挿入され取り付けられる。
【００２９】
係止孔６３は、本体部３５に形成される本体部係止孔４１と、延長部５１に形成される延長部係止孔５５とから構成される。各係止孔４１，５５は、縦長な略矩形状に形成され、長手方向となる上下方向に等ピッチとなって複数形成される。本体部３５と延長部５１は、本体部係止孔４１と延長部係止孔５５が略一致するようにして固定手段８５で摺動が規制される。より正確には摺動が規制された状態で、本体部係止孔４１と延長部係止孔５５は、孔上縁が一致するようにそれぞれが形成される。この状態で棚板支持具２１の係止爪２３は、各係止孔４１，５５に係止可能となる。なお、本実施の形態では、図３，６に示すように、本体部３５の上端４５においては、各係止孔４１，５５の形成ピッチを合せた切欠部４３が形成されている。
【００３０】
固定手段８５は、ロック手段８７と透孔５９とで構成される。棚用支柱１１の本体部側面３９には延長部５１の下降を規制するロック手段８７が設けられている。延長部５１の側面５７には各係止孔６３（４１，５５）と等ピッチの透孔５９が形成されている。なお、本実施形態では、これらロック手段８７と透孔５９とが設けられる本体部３５及び延長部５１の各側面３９，５７は、図１に示すように、棚用支柱１１として左右一対とされる際の互いに対向する内側面３９，５７とされる。
【００３１】
ロック手段８７は、本体部３５の上端部側面３９に固定されるブラケット８９と、ブラケット８９に固定される横軸９１と、横軸９１に基端を回動自在に支持し先端９３を自重により透孔５９に進入させて延長部５１の下降を規制するロック爪９５とを備えている。ブラケット８９は、コ字状金具からなり、側板に横軸９１であるネジ等を貫通してロック爪９５を揺動自在に支持する。基端が横軸９１に支持されたロック爪９５は、重心が先端９３側となり、その結果、先端９３を延長部５１の側面５７側へ倒すモーメントを生じさせる。先端９３に対し、透孔５９が相対移動されて一致すれば、先端９３は透孔５９内に落下して進入する。したがって、延長部５１が引き出されると、ロック爪９５が透孔５９に順次進入し、手が放されると延長部５１が自重により下降しようとするが、透孔５９に進入したロック爪９５によって下降が阻止される。
【００３２】
ロック手段８７は、ロック爪９５が、本体部係止孔４１と延長部係止孔５５を等ピッチで配置する位置に、延長部５１を本体部３５に対し下降規制する。すなわち、ロック爪９５が透孔５９にロックした状態で、本体部３５と延長部５１は、それぞれの係止孔４１，５５が等ピッチで接続される。ロック爪９５が任意の透孔５９に進入しても、本体部３５と延長部５１の係止孔４１，５５を常に等ピッチで連続させることができる。
【００３３】
ロック手段８７は、本体部３５の上端４５に配設されることが好ましい。ロック手段８７が本体部３５の上下方向中途部分に設けられる場合に比べ、延長部５１の引き出し可能な長さを長くできる。換言すれば、延長部５１を最大限の引き出し状態でロックすることができる。
【００３４】
なお、ロック手段８７には、ロック爪９５を透孔５９に進入させる方向に付勢する付勢手段を、ロック爪９５とブラケット８９に亘って設けてもよい。この他、付勢手段は、横軸９１に外挿され、一端をロック爪９５、他端をブラケット８９に支持させたツル巻きバネであってもよい。これにより、自重に加え、付勢手段により強制的にロック爪９５を透孔５９へ進入・衝接させることができ、ロック爪９５の進入不良、すなわち、ロック不良をなくし、迅速且つ信頼性の高いロック動作が可能となる。また、進入時、クリック音を生じさせ、快適な操作感が得られるようにもなる。
【００３５】
支持筒体６５は、本体部３５と略同一な外径及び内径、すなわち本体部３５の外形状及び中空形状の角筒形状とされ、延長部５１に外嵌した状態とされて、本体部３５の上端４５に当接可能に、且つ延長部５１に対して摺動自在となって取り付けられている。この支持筒体６５は、本体部係止孔４１と同ピッチの補助係止孔６９を正面６７に備えている。好ましくは、この補助係止孔６９は、長手方向の中央位置に貫通孔７９として形成するとともに、上下端部には補助係止孔６９の略半部となる切欠部７１，７３を形成している。下部切欠部７３は本体部上端４５の切欠部４３とで本体部係止孔４１，補助係止孔６９と同等の大きさとなる。また側面７７には延長部５１に対してビス止めを可能とする貫通孔７９を長手方向の略中央に備え、この貫通孔７９の上下に透孔５９に連通可能となる切欠溝８１がそれぞれ形成されている。
【００３６】
この支持筒体６５は、棚用支柱１１を本体部３５に対して延長部５１の摺動で所望の長さとした際に、本体部３５の上端４５において、この本体部３５と延長部５１との境に生じる段差部分に対応させる。すなわち、本体部３５自体の厚みによる延長部５１との段差を無くす。これにより、この段差位置に棚板１９を配置する場合、棚板支持具２１の上下の係止爪２３がそれぞれ係止孔６３に進入し係止状態となるものの、その段差によって棚板支持具２１が不安定となることを、延長部５１に外嵌する支持筒体６５にて補助係止孔６９と本体部係止孔４１を用い、その段差が解消される。図６（ａ），（ｂ）に示すように、本体部３５の上端４５に当接状態で支持筒体６５を位置させることで、棚板支持具２１の上下各係止爪２３が垂直配置となって係止孔４１，５５，６９、及び切欠部４３と下部切欠部７３とによる孔部分に進入し係止状態となる。
【００３７】
なお、図４に示すように、段差となる位置ではない位置に棚板支持具２１を棚用支柱１１へ取り付ける場合には、棚板支持具２１と干渉しない位置に延長部５１に対し支持筒体６５をスライドさせ（図８参照）貫通孔７９を用いてビス止めなどして退避させるか、或いは延長部５１から抜き去ることとしてもよい。
【００３８】
棚板支持具２１は、棚板１９の下面左右に設けられた不図示の係止部に係止する前後一対の爪２５を有する腕部２７と、この腕部２７の基端部２９に設けられ係止孔６３に係止する上下一対の係止爪２３とを備える。本実施の形態では一対の係止爪２３を備えるが、棚板支持具２１は、１つの係止爪のみを備えるもの、或いは３つ以上など複数備えるものであってもよい。係止爪２３には、基端部２９との境に、下から上へ切り込まれた落とし込み溝３１が設けられている。なお、本実施の形態では、腕部２７の基端部２９に、下方向に延出する支持部３３が形成されており、この支持部３３は、係止爪２３が係止される本体部係止孔４１，延長部係止孔５５，補助係止孔６９の下方に位置する本体部係止孔４１，延長部係止孔５５を覆う位置とされ、腕部２７を支える。この支持部３３は、真直に下方向へ延出形成されてもよく、中途で屈曲する形状としてもよい。
【００３９】
棚板支持具２１は、本体部係止孔４１、及び延長部係止孔５５，補助係止孔６９のいずれにも係止可能となっている。棚板支持具２１は、係止爪２３を、例えば本体部係止孔４１に基端部２９が当接するまで挿入した後、下側へ落とし込むことで、落とし込み溝３１に、本体部係止孔４１同士間の係止部４７を下方より受け入れて本体部３５に固定される。なお、延長部５１の係止部６１は、後述するように、本体部係止部４７よりも上下の長さが短い。
【００４０】
図５は本体部の係止孔を（ａ）、支持筒体の係止孔を（ｂ）、延長部の係止孔を（ｃ）で表した正面図である。
本体部係止孔４１と延長部係止孔５５及び補助係止孔６９は、等ピッチＰで形成されている。本体部係止孔４１の上下長Ｈａと補助係止孔６９の上下長Ｈｃは同等とされるとともに、これら上下長Ｈａ，Ｈｃは、係止爪２３の上下長ｈ（図４参照）よりも長い。つまり、挿入を容易にする分長い。延長部係止孔５５の上下長Ｈｂは、本体部係止孔４１の上下長Ｈａ及び補助係止孔６９の上下長Ｈｃよりも長い（Ｈａ＜Ｈｂ，Ｈｃ＜Ｈｂ）。また、本体部３５の係止部４７の上下長Ｄａは、Ｐ−Ｈａとなり（Ｄａ＝Ｐ−Ｈａ）、この上下長Ｄａと支持筒体６５の係止部７５の上下長Ｄｃとは同等とされる（Ｄａ＝Ｄｂ＝Ｐ−Ｈｂ）。延長部５１の係止部６１の上下長Ｄｂは、Ｐ−Ｈｂとなる（Ｄｂ＝Ｐ−Ｈｂ）。ここで、Ｈａ＜Ｈｂ，Ｈｃ＜Ｈｂなので、Ｄａ＞Ｄｂ，Ｄｃ＞Ｄｂとなる。
【００４１】
図６は本体部と延長部及び支持筒体の重なり部における棚板支持具の係止状態を（ａ）、ロック手段の係止状態を（ｂ）に表した縦断面図、及び棚板支持具及びロック手段の各係止状態を（ｃ）に表した平断面図である。
延長部係止孔５５は、本体部係止孔４１より少なくとも落とし込み溝３１による落とし込み量Ｋ分上下方向に長い（Ｈｂ−Ｈａ≧Ｋ）。本体部３５と延長部５１は、本体部係止孔４１の上縁と、延長部係止孔５５の上縁が一致する位置で、ロック手段８７にて延長方向の摺動が規制される。
【００４２】
また、図５に示すように、延長部係止孔５５の横幅Ｗｂは、本体部係止孔４１の横幅Ｗａ及び補助係止孔６９の横幅Ｗｃより大きく形成されている。これにより、延長部５１が嵌入している本体部３５及び支持筒体６５において、本体部係止孔４１及び補助係止孔６９の背部に配置される延長部係止孔５５が、本体部係止孔４１及び補助係止孔６９より外側で重なる。つまり、本体部係止孔４１及び補助係止孔６９に挿入する係止爪２３を、延長部係止孔５５に干渉し難くして、挿入作業性を良好にしている。
【００４３】
上記の構成を有する棚用支柱１１では、延長部５１を伸長させた本体部３５の上端４５における最上位置の係止孔６３において、本体部係止孔４１と延長部係止孔５５が上端を一致させると、図６（ａ）に示すように、延長部係止孔５５は、下端が、本体部係止孔４１の下端よりも落とし込み量Ｋ分下方に配置される。つまり、本体部係止孔４１に挿入された係止爪２３の干渉回避代（逃げ代＝Ｋ）が形成される。これにより、棚板支持具２１を挿入して落とし込むことが可能となる。なお、図６（ｃ）に示すように、ロック手段８７のロック爪９５が透孔８９に進入した状態でのロック爪先端９３と、棚板支持具２１の係止爪２３が挿入された状態での先端との間隔Ｃは、互いに干渉しない位置とされ、すなわち、棚用支柱１１としての本体部３５及び延長部５１の奥行き長さは、これらロック爪９５と係止爪２３とがそれぞれ係止した状態で干渉することのない長さに設定され構成される。
【００４４】
上記構成によれば、棚板支持具２１の係止爪２３を下方へ落とし込んで係止する係止孔６３（４１，５５）を上下方向に形成した棚用支柱１１であって、本体部３５と、この本体部３５に摺動自在な延長部５１とを具備し、本体部３５及び延長部５１の係止孔４１，５５は等ピッチＰで形成し、延長部５１の係止孔５５を、本体部３５の係止孔４１より少なくとも落とし込み量Ｋ分上下方向に長くしたので、延長部５１を伸長させた本体部上端４５における最上位置の係止孔４１、或いは、本体部３５から伸長した延長部５１における最下位置の係止孔５５にも棚板支持具２１を挿入して落とし込むことができ、伸縮構造の支柱において使用不能な係止孔６３を減らし、棚調整機能の自由度を向上させることができる。
【００４５】
また、延長部５１の側面５７に係止孔６３（５５）と等ピッチＰとなる透孔５９を設け、ロック手段８７を、本体部側面３９に固定したので、延長部５１を引き出せば、透孔５９に順次ロック爪９５が進入し、手を離せば、自重により下降しようとする延長部５１が、透孔５９に進入したロック爪９５によって下降阻止される（図７参照）。この結果、工具を用いずに、延長部５１を簡便且つ迅速に任意な引き出し長さで固定でき、組立・解体の施工性を向上させることができる。
【００４６】
なお、建物壁面に沿わせて商品陳列棚１００を設置した後において、延長部５１の伸縮長を変える場合には、一旦延長部５１を上方へ引き出す。すると、図８に示すように、ロック爪９５の先端９３が透孔５９の下縁によって押し上げられ、透孔５９から離脱される。この状態で、ロック爪９５を保持することで、延長部５１の下降が可能となる。棚板１９を取り除くことで商品陳列棚１００正面からロック爪９５に対して容易に手指が届き、下降を可能にすることができる。
【００４７】
したがって、本実施の形態による棚用支柱１１によれば、使用不能となる係止孔６３を減らすことができ、しかも、ロック手段８７が背面方向や外側方向に突出してないことから、商品陳列棚１００として、その背面を建物壁面に近接或いは当接状態に沿わせて設置でき、或いは背中合わせ状態で設置でき、且つ複数の商品陳列棚１００を隣り合わせ並列させることも可能となり、そして、工具を使用せずに簡便且つ迅速に延長部５１を任意の引き出し長さで固定することができる。
【符号の説明】
【００４８】
１１…棚用支柱
２１…棚板支持具
２３…係止爪
３５…本体部
３９…本体部の側面
４１…係止孔（本体部係止孔）
５１…延長部
５５…係止孔（延長部係止孔）
５７…延長部の側面
５９…透孔
６３…係止孔
８７…ロック手段
８９…ブラケット
９１…横軸
９３…先端
９５…ロック爪
Ｋ…落とし込み量
Ｐ…ピッチ
【図１】
2014061240.tif 000003
【図２】
2014061240.tif 000004
【図３】
2014061240.tif 000005
【図４】
2014061240.tif 000006
【図５】
2014061240.tif 000007
【図６】
2014061240.tif 000008
【図７】
2014061240.tif 000009
【図８】
2014061240.tif 000010